(57)【特許請求の範囲】
【請求項１】
データの転送系路となるブリッジと、
このブリッジに入出力端が接続されたバッファ手段と、
前記ブリッジに入出力端が接続された第1の記憶再生手段と、
前記ブリッジに入出力端が接続された第2の記憶再生手段と、
前記ブリッジに接続された画像処理用エンコーダと、
前記ブリッジに接続された画像処理用でコーダと、
第1の入力端に少なくともアナログ映像信号が入力され、第2の入力端に前記デコーダのアナログ出力端が接続されると共に、外部接続用アナログ出力端が設けられ、出力端が前記エンコーダの入力端に接続されたミキシング手段と、
前記第1の記憶再生手段から読み出された映像情報を前記デコーダでデコードせしめ、前記ミキシング手段では、前記デコーダからのアナログ信号と前記第1の入力端からのアナログ映像信号とを混合せしめ、前記エンコーダでは、前記ミキシング手段の出力アナログ信号をエンコードせしめ、そのエンコード出力を前記ブリッジを介して前記バッファ手段に一時格納し、前記第2の記憶再生手段では、前記バッファ手段からの出力を前記ブリッジを介して記憶せしめる制御手段と
を具備したことを特徴とする録画再生装置。
【請求項２】
前記バッファ手段には、前記エンコーダからの出力を一時的に格納する上限及び下限が設定されていることを特徴とする請求項1記載の録画再生装置。
【請求項３】
前記制御手段は、前記バッファ手段に格納されるデータ量を監視し、このデータ量が予め設定されている上限になると、前記エンコーダのデータ圧縮率を可変する手段を含むことを特徴とする請求項２記載の録画再生装置。
【請求項４】
データの転送系路となるブリッジと、
このブリッジに入出力端が接続されたバッファ手段と、
前記ブリッジに入出力端が接続された第1の記憶再生手段と、
前記ブリッジに入出力端が接続された第2の記憶再生手段と、
前記ブリッジに接続された画像処理用エンコーダと、
前記ブリッジに接続された画像処理用デコーダと、
第1の入力端に少なくともアナログ映像信号が入力され、第2の入力端に前記デコーダのアナログ出力端が接続されると共に、外部接続用アナログ出力端が設けられ、出力端が前記エンコーダの入力端に接続されたミキシング手段と、
前記第1の記憶再生手段または第2の記憶再生手段からから読み出された映像情報を前記デコーダでデコードせしめ、前記ミキシング手段を介して、前記デコーダに入力せしめ、このデコーダの出力を画像圧縮率を変更可能な前記エンコーダに入力せしめ、このエンコーダ出力を前記ブリッジを介して前記バッファ手段に一時的に格納せしめ、このバッファ手段の出力を前記ブリッジを介して前記第2の記憶再生手段または第1の記憶再生手段のいずれか一方に記憶せしめる制御手段と
を具備したことを特徴とする録画再生装置。
【請求項５】
前記制御手段は、前記バッファ手段に格納されるデータ量を監視し、このデータ量が予め設定されている上限になると、前記エンコーダのデータ圧縮率を可変する手段を含むことを特徴とする請求項４記載の録画再生装置。
【請求項６】
前記制御手段は、前記バッファ手段に格納されるデータ量を監視し、このデータ量が予め設定されている上限になると、データ読出し中の前記第1の記憶再生手段または第2の記憶再生手段の読出し速度を可変制御する手段を含むことを特徴とする請求項４記載の録画再生装置。
【発明の詳細な説明】
【０００１】
【発明の属する技術分野】
この発明は、情報記憶再生装置の記憶メディアとして、ハードディスク、光ディスク（       ＤＶＤ、ＣＤ等）を利用した、多様性のある録画再生装置に関する。
【０００２】
【従来の技術】
近年、半導体メモリ、ハードディスク、光ディスクなどの情報記録再生メディアの大容量化が進み、これに伴い情報記録再生装置を用いた録画再生装置（ディスクプレーヤー、小型電子カメラ、ビデオカメラ、パーソナルコンピュータシステムなど）が小型化している。
【０００３】
これに伴い、上記の録画再生装置に対しては、種種の要望がある。例えば簡単な編集機能や取り扱い上の便利性である。
【０００４】
【発明が解決しようとする課題】
しかしながら、従来は、カメラはカメラ、プレーヤーやプレーヤ、編集装置は編集装置として単独で装置が構成されており融通性に欠けると言う問題がある。
【０００５】
そこで、この発明では、第1、第2の記憶再生手段と画像処理用エンコーダと画像処理用デコーダとを備え多様性のある画像記憶再生装置を提供することを目的とするものである。
【０００６】
またこの発明では、リアルタイム録画あるいはミキシングに好適する画像記憶再生装置を提供することを目的とする。
【０００７】
【課題を解決するための手段】
この発明は上記の目的を達成するために、データの転送系路となるブリッジと、このブリッジに入出力端が接続されたバッファ手段と、前記ブリッジに入出力端が接続された第1の記憶再生手段と、前記ブリッジに入出力端が接続された第2の記憶再生手段と、前記ブリッジに接続された画像処理用エンコーダと、前記ブリッジに接続された画像処理用でコーダと、第1の入力端に少なくともアナログ映像信号が入力され、第2の入力端に前記デコーダのアナログ出力端が接続されると共に、外部接続用アナログ出力端が設けられ、出力端が前記エンコーダの入力端に接続されたミキシング手段とを備え、
制御手段により、前記第1の記憶再生手段から読み出された映像情報を前記デコーダでデコードせしめ、前記ミキシング手段では、前記デコーダからのアナログ信号と前記第1の入力端からのアナログ映像信号とを混合せしめ、前記エンコーダでは、前記ミキシング手段の出力アナログ信号をエンコードせしめ、前記第2の記憶再生装置では、前記エンコーダからの出力を記憶せしめるようにしたものである。
【０００８】
【発明の実施の形態】
以下、この発明の実施の形態を図面を参照して説明する。
【０００９】
図１はこの発明の画像記憶再生装置の基本構成を示す。幹信号装置１００は、一方の入力端１０１にチューナ２１、あるいはカメラ２２、あるいは外部入力機器２３からのアナログ映像信号を取り込むことができ、他方の入力端１０２には、デコーダ１６でデコードされたアナログ映像信号をスイッチャ−４００を介して取り込むことができる。
【００１０】
さらにミキシング装置１００の出力は、スイッチャ−４００を介してエンコーダ１１に入力することができ、また、ディスプレイ２００にも入力することができる。スイッチャ−４００は、操作入力処理部３１からの操作入力に応答するマイクロコンピュータ３００の制御のもとに、魅しキング装置１００の出力をディスプレイ２００に供給することもできるし、同時にエンコーダ１１に供給することもできる。さらにスイッチャ−４００は、デコーダ１６からの出力アナログ映像信号を、ディスプレイ２００に供給することもできるし、ミキシング装置１００へ供給することもできる。
【００１１】
エンコーダ１１の出力は、データバスを用いたブリッジ１２に出力さえる。記録モードにおいては、エンコーダ１１の出力された記録情報は、ブリッジ12、コントローラ１３を介して第1の記憶再生装置１４に導入されて、例えばハードディスクに記録される。この場合、記録情報は、ブリッジ１２には、バッファメモリ１５が接続されており、一旦、このバッファメモリ１５を介して、第1の記憶再生装置１４に供給される。
【００１２】
第１の記憶再生装置１４が再生モード、第2の記憶再生装置１７が記録モードのとき、第1の記憶再生装置１４で再生された再生情報は、コントローラ１３、ブリッジ１２を介してデコーダ１６に一旦供給され、ここでデコードされる。デコードされたアナログ映像信号は、スイッチャ−４００を介してミキシング装置１００の入力端１０１に入力され、次にこのミキシング装置１００から出力されスイッチャ−４００を介してエンコーダ１１に入力される。
【００１３】
エンコーダ１１から出力されたデジタル映像情報は、ブリッジ１２を介して、一旦バッファメモリ１５に格納される。そしてバッファメモリ１５から読み出された映像情報がブリッジ１２、コントローラ１８を介して第2の記憶再生装置１７の例えば光ディスク（ＲＷ−ＤＶＤ）に記録される。
【００１４】
マイクロコンピュータ３００は、この装置の全体の各ブロックを制御するもので、操作入力処理部３１に与えられた操作入力に応じて、記録モード、再生モード、記録及び再生モード、編集モードなどを設定する。
【００１５】
図２には、記録モードであって、チューナ２１あるいはカメラ２２あるいは外部入力機器２３からの映像信号を、第1の記憶再生装置１４のハードディスクへ記録する場合の動作を示している。
【００１６】
ミキシング装置１００の入力端１０１からのアナログ映像信号は、スイッチャ−４００を介して、エンコーダ１１に入力される（ステップＳ１、Ｓ２）。エンコーダ１１では、アナログ信号をデジタル変換し、所定のフォーマットに圧縮し、ブリッジ１２に出力する（ステップＳ２）。圧縮フォーマットは、例えばＭＰＥＧ方式である。この出力は、一旦バッファメモリ１５に格納される。ここでバッファメモリ１２のデータの蓄積量が監視され（ステップＳ３）、メモリの記憶容量に余裕がある場合には、バッファメモリ１５への記録が続けられ、同時にこのバッファメモリ１５から読み出された情報は、第1の記憶再生装置１４においてハードディスクへ記録される（ステップＳ５）。
【００１７】
そしてミキシング装置１００への入力信号が終了あるは停止操作信号が入力すると（ステップＳ６）、記録処理は終了する（ステップＳ７）。ステップＳ３においてバッファメモリ１５の保持データが一杯（ある程度定めた上限のデータ量）になると、エンコーダ１１のデータ圧縮率が可変（例えば圧縮比（１／Ｎ）が小さくなりデータ量が少なくなる）され、ステップＳ５に移行する。
【００１８】
上記のフローチャートは、外部からの入力信号を、まずハードディスクに全て記録するように図られたものである。従って記録動作が途絶えることのないように図られている。上記の例では、エンコーダ１１の圧縮率を小さくする例を述べたがバッファメモリ１５のデータ量の下限も監視し、データ圧縮比（１／Ｎ）を大きくする方向（データ量が多く解像度が良くなる方向）へ制御するルーチンを付加してもよいことは勿論である。
【００１９】
図３は、ミキシングモードが設定された場合の動作フローチャートを示している。
【００２０】
ミキシングモードのときは、ミキシング装置１００の入力端１０１に入力する映像と、入力端１０２に入力する映像との画面上の占有割合を設定することができる（ステップＡ１，Ａ２）。
【００２１】
次に第1の記憶再生装置１４が再生状態に設定される（ステップＡ３）。この装置１４で再生された情報は、コントローラ１３、ブリッジ１２を介してデコーダ１６に入力されてデコードされる。デコード出力はスイッチャ−４００を介して、入力端１０２を通りミキシング装置１００に入力される。ミキシング装置１００では、入力端１０１側に外部からの映像信号が供給されている。ミキシング装置１００からの合成出力映像信号は、スイッチャ−４００を介してエンコーダ１１に入力され、エンコードされる（ステップＡ４，Ａ５，Ａ６）。
【００２２】
エンコードされた映像情報は、ブリッジ１２を介して一旦バッファメモリ１５に格納される。また同時にバッファメモリ１５からの読出し情報がコントローラ１８を介して第2の記録再生装置１７の光ディスクに記録される。
【００２３】
ここでバッファメモリ１５のデータ量の状態は常に監視されている。そして、バッファメモリ１５の保持データが一杯（ある程度定めたデータ量）になると、エンコーダ１１のデータ圧縮率が可変（例えば圧縮比（１／Ｎ）が小さくなりデータ量が少なく）され（ステップＡ９）、ステップＡ８に移行する。バッファメモリ１５に格納されているデータ量に対して容量の余裕がある場合には、ステップＡ７からＡ８に移行し、第2の記録再生装置１７での記録が続けられる。
【００２４】
入力信号が終了あるいは停止の操作入力があれば、ミキシング処理は終了する（ステップＡ１０）。
【００２５】
図４は、第1の記憶再生装置１４のハードディスクに取り込んだ情報を、第2の記憶再生装置１７の光ディスクに書き換える場合の動作を示ししている。
【００２６】
第1の記憶再生装置１４が再生状態に設定される。第1の記憶再生装置１４のハードディスクから読み出された（ステップＢ１，Ｂ２）映像情報は、コントローラ１３、ブリッジ１２を介してデコーダ１６に入力される。デコーダ１６では、映像情報のデコードが行われ（ステップＢ３）、このデコードされた映像信号は、スイッチャ−４００を介して、ミキシング装置１００の入力端１０２に入力される（ステップＢ４）。ミキシング装置１００をパスした映像信号は、スイッチャ−４００を介してエンコーダ１１に入力する。エンコーダ４００では、所定のフォーマットの画像圧縮処理を行い（ステップＢ５）、ブリッジ１２に出力する。
【００２７】
このブリッジ１２に出力された映像情報は、一旦バッファメモリ１５に格納される。そして古いデータから順次読み出され、ブリッジ１２を介してコントローラ１８に入力される。コントローラ１８に入力された映像情報は、第２の記憶再生装置１７の光ディスクに記録される。
【００２８】
ここでバッファメモリ１５に格納されたデータ容量は、常に監視状態にあり（ステップＢ６）、予め設定している上限に近づくと、エンコーダ１１における圧縮率が可変され（ステップＢ８）、データ量が少なくなる方向へ圧縮され、記録される（ステップＢ８）。バッファメモリ１５のデータ量が少ない場合には第2の記憶再生装置１７において光ディスクへの記録が行われる（ステップＢ８）。入力信号が終了（第1の記憶再生装置の読出しが終了あるいは操作入力による終了）すれば（ステップＢ９）、書き写し処理が終了し、終了していない場合には、ステップＢ２に戻る。
【００２９】
書き換えモードのときは、ユーザはディスプレイ２００を見ながら書き写されている映像をモニタすることができるが、この映像信号は、ミキシング装置４００から出力された映像信号がスイッチャ−４００を介してディスプレイ２００へ送られるようになっている。
【００３０】
なお上記の説明では映像情報の記録、再生、ミキシングについて述べたが、音声情報については一度エンコードされてパケット化され、対応する映像パケットと関連付けられ後は、常に当該映像パケットと対応つけられて転送される。したがって、対応する映像パケットが削除されるような場合は、対応する音声パケットも削除される。
【００３１】
また上記の説明では、マイクロコンピュータである制御手段は、バッファメモリ１５に格納されたデータ量の上限、下限を監視し、上限になると圧縮率を可変するとしたが、これに限らず、読出し中の第1又は第2の記憶再生装置の読出し速度を可変するようにしてもよい。
【００３２】
図５はブリッジ１２におけるトランスポートストリームの構成例を示している。ブリッジ内には、記憶再生装置から読み出されたパケットや、これから記録されるパケット、さらにはバッファメモリに入出力するパケットが混在する。これらのパケットは、時分割で存在する。この様な各種のパケットを管理するために、管理パケットｍｐが存在する。この管理パケットｍｐは、そのパケットヘッダに特定のパケットＩＤが付されている。この管理パケットｍｐ内には、これに続くパケットの情報が含まれており、どのようなパケットがどのような順番で含まれているかを示している。図に示す例では、管理パケットｍｐの直後がビデオパケット（ｖ１）、ビデオパケット（ｖ２）、ビデオパケット（ｖ３）、オーディオパケット（ａ１）、オーディオパケット（ａ２）の順になっていることを示している。各パケットのパケットヘッダにはパケットＩＤが含まれており、ビデオ、オーディオ、データなどの識別が可能である。従って図に示す例では、ＩＤとしてＶ１，Ｖ２，Ｖ３，Ａ１、Ａ２が順次各パケットヘッダに記述されている。
【００３３】
マイクロコンピュータ３００は、まず管理パケットｍｐを読み取り、この後に続くパケットがどのようなパケットであるかを認識し、画像圧縮処理、復号処理などを行うか否かを判定する。またこの場合、図示していないが、パケットＩＤ中には、いずれの記録再生装置から読み出されたものであるか、バッファメモリ１５に対して入力するパケットであるのか、バッファメモリ１５から出力されたパケットであるのかを示す情報も含まれている。またでコーダ１６から出力されたパケットである場合は、その識別情報も含まれている。
【００３４】
この発明は、上記の実施の形態に限定されるものではなく、さらに第３、第４の記録再生手段を追加してもよいし、さらにエンコーダ、デコーダを増設してもよいことは勿論のことである。
【００３５】
【発明の効果】
以上説明したようにこの発明によれば、第1、第2の記憶再生手段と画像処理用エンコーダと画像処理用デコーダとを備え多様性のある画像記憶再生装置を提供できる。
【図面の簡単な説明】
【図１】この発明の画像記憶再生装置の全体的な構成を示す図。
【図２】この発明の画像記憶再生装置の一動作例を説明するために示したフローチャート。
【図３】この発明の画像記憶再生装置の他の動作例を説明するために示したフローチャート。
【図４】この発明の画像記憶再生装置のさらに他の動作例を説明するために示したフローチャート。
【図５】ブリッジにおけるトランスポートストリームの例を示す説明図。
【符号の説明】
１１…エンコーダ、１２…ブリッジ、１３…コントローラ、１４…第1の記憶再生装置、１５…バッファメモリ、１６…デコーダ、１７…第2の記憶再生装置、１８…コントローラ、２１…チューナ、２２…カメラ、２３…外部入力機器、３１…操作入力処理部、１００…ミキシング装置、２００…ディスプレイ、４００…スイッチャ−。
【図１】
0003930226.tif 000002
【図２】
0003930226.tif 000003
【図３】
0003930226.tif 000004
【図４】
0003930226.tif 000005
【図５】
0003930226.tif 000006